(57)【要約】【課題】入力光パワーの変動が生じた場合、出力一定化回路に入力する信号を切り替え、入力光の立ち上がり時に出力される光サージ量を減少させることが可能な、光サージを抑制した簡単な構成の光増幅システムはいまだ得られていない。【解決手段】少なくとも光増幅部と入力光パワーモニタと入力断検出回路と入力断保護回路と利得制御手段を備えた光通信などに利用される光増幅システムについて、出力光パワーモニタと電気信号切替器と出力一定化回路を備え、入力断検出回路が入力光断を検出したとき、出力光パワーモニタと出力一定化回路の間に配置した電気信号切替器が、出力一定化回路へ入力される信号を、出力パワーモニタが出力した信号から入力断検出回路が出力した疑似出力光パワー信号に切り替えることを特徴とする制御回路を具備する、光増幅システム。【選択図】  図１
2008141366.tif 000002
【特許請求の範囲】
【請求項１】
少なくとも光増幅部と入力光パワーモニタと入力断検出回路と入力断保護回路と利得制御手段を備えた光通信などに利用される光増幅システムについて、
出力光パワーモニタと電気信号切替器と出力一定化回路を備え、入力断検出回路が入力光断を検出したとき、出力光パワーモニタと出力一定化回路の間に配置した電気信号切替器が、出力一定化回路へ入力される信号を、出力パワーモニタが出力した信号から入力断検出回路が出力した疑似出力光パワー信号に切り替える制御回路を具備することを特徴とする、光増幅システム。
【請求項２】
入力断検出回路が入力光断を検出したとき出力一定化回路に入力される疑似出力光パワー信号が、出力一定化回路により定められた光出力パワーである設定出力光パワー値よりも、大きな出力光パワーを得ることができる信号であることを特徴とする、請求項１記載の光増幅システム。
【請求項３】
出力一定化回路は差分アンプで構成されており、入力断検出回路が入力光断を検出したとき疑似出力光パワー信号によって差分アンプが電気飽和しないことを特徴とする、請求項１または２記載の光増幅システム。
【請求項４】
入力断検出回路が入力光の回復を検出したとき、電気信号切替器が、出力一定化回路へ入力される信号を、入力断検出回路の出力した疑似出力光パワー信号から出力パワーモニタが出力した信号へ切り替えるのに、１マイクロ秒〜１０ミリ秒の遅延時間を持つ事を特徴とする、請求項１乃至３いずれか１項に記載の光増幅システム。
【発明の詳細な説明】
【技術分野】
【０００１】
本発明は、主に光通信などで使用されている光増幅システムに関する。
【背景技術】
【０００２】
光増幅器は主に光通信で用いられ、その他にも計測、分析などの分野において重要な役割を果たしている。代表的な光増幅器としては、ラマン型増幅器やガラス導波路に希土類を添加した導波路光増幅器や光ファイバに希土類を添加した光ファイバ増幅器などが挙げられる。
【０００３】
希土類元素を添加した光増幅媒体を励起光により励起状態にし、光増幅媒体内で生じる誘導放出により信号光を増幅するように構成された光増幅システムは公知である。
【０００４】
基本的な光増幅システムの構成では、光増幅器の経年変化や環境による出力変動を防止するために出力一定化制御回路(以下、ＡＬＣ制御回路という)を搭載している。また、光増幅器の入力光が遮断された場合に強励起状態になり、入力光が回復した場合に強い光パルスを発生し、後段の光学素子や光増幅器そのものを損傷する危険がある(特許文献1参照)。
【０００５】
このため通常の光増幅システムは、入力光の状況を監視し、入力光がある一定のパワー以下になった場合、入力光パワーが所定の値以下になったことを判断する回路(入力断検出回路)と入力断検出回路が入力断を検出したときに励起光源の駆動電流を抑制または停止させる保護回路(以後、入力断保護回路という)を備えている(特許文献２参照)。
【０００６】
光通信で用いられる光増幅システムは、入力光パワーが所定のパワー以下から入力光が回復した場合に素早く正常動作になる事が求められる。図２(A)〜(D)は入力断保護回路を持つ光増幅システムの光学特性を示した説明図である。特に図２(A)は入力光パワーを示す図、図２(B)は出力光パワーを示す図、図２(C)は励起ＬＤの駆動電流を示す図、  図２(D)は出力パワーモニタからＡＬＣ制御回路の電気的動作を示す図である。
【０００７】
図２(A)に示すように入力光断状態になった場合、入力断保護回路が動作し図２(B)に示すように出力光パワーは、０になる。ＡＬＣ制御回路は、光信号の強弱に応じて励起パワーを調整して、出力パワーを一定にしている。入力光断状態の時、ＡＬＣ制御回路は出力光パワーが設定出力光パワー値より小さいため、利得を上げるよう制御する。入力光が回復すると光増幅器の利得を制御する装置の励起ＬＤに最大駆動電流を流す。結果、瞬時的に異常に高い出力光パワー(以後、光サージと呼ぶ)を出力することになる。
【０００８】
光サージを抑制する方法として、光送信部において、光信号の立ち上がり時間を光増幅器の緩和時間時定数に比べて十分長くすることが知られている。しかし、システムの立ち上がりに時間が掛かってしまうために光通信では使用することはできない。このため、素早く正常動作になる光増幅システムの光サージを解決する方法が提案されている(特許文献３〜５参照)。
【特許文献１】特開２００２−１４１５９２号公報
【特許文献２】特許第２６５１０８６号公報
【特許文献３】特開平７−２４０７１７号公報
【特許文献４】特開２００３−７８４８５号公報
【特許文献５】特開平９−３１０９５号公報
【発明の開示】
【発明が解決しようとする課題】
【０００９】
従来技術によるＡＬＣ制御される光増幅システムは、入力光パワーが非常に低くなると、出力光パワーを一定に保つように制御されるために利得が高い状態とされる。入力光パワーの低い状態から元の入力光パワーに回復すると、光増幅器が高い利得に保たれているために、光増幅システムは、光サージを出力することになる。
【００１０】
光サージは、光増幅システムの光ファイバなどの結合部を溶融させ、あるいは、この光サージを受ける受光部を破壊してしまうことがあるという問題点を有している。また、この光サージは、場合によって、周囲の人に対しても危険である。
【００１１】
光通信システム内に設置された光増幅器への入力光パワーの幅はそれほど広くない。上記特開平７−２４０７１７号公報や特開平９−３３１０９５号公報は、設置される光通信システムの複数の入力光条件にあわせて、光増幅器の利得を切り替える。切り替わる入力光パワー値を通常の入力光から少し低いパワーに設定することにより、利得切り替えの入力光と、回復時の入力光との間に極端な差を生じなくなり、光サージを低く抑えることができる。
【００１２】
しかし、入力信号が急激に変化したときに、励起光パワーの変化に対する光増幅媒体の応答が遅いために出力光パワーが一定に保たれない問題が生じるため光サージを完全に抑えることとはできない。さらに入力状態によって設定値を数パターン用意する必要があるため、回路規模が大きくなってなる。
【００１３】
また、上記特開２００３−７８４８５号公報では、レーザーダイオードからの光量が補助光を常時、放出しているため、後段のシステム内において雑音やエラーが発生する可能性がある。
【００１４】
このような問題があり、入力光パワーの変動が生じた場合、出力一定化回路に入力する信号を切り替え、入力光の立ち上がり時に出力される光サージ量を減少させることが可能な、簡単な構成の光増幅システムはいまだ得られていない。
【課題を解決するための手段】
【００１５】
本発明は、少なくとも光増幅部と入力光パワーモニタと入力断検出回路と入力断保護回路と利得制御手段を備えた光通信などに利用される光増幅システムについて、
出力光パワーモニタと電気信号切替器と出力一定化回路を備え、入力断検出回路が入力光断を検出したとき、出力光パワーモニタと出力一定化回路の間に配置した電気信号切替器が、出力一定化回路へ入力される信号を、出力パワーモニタが出力した信号から入力断検出回路が出力した疑似出力光パワー信号に切り替える制御回路を具備することを特徴とする、光増幅システムである。
【００１６】
また、入力断検出回路が入力光断を判断したとき出力一定化回路に入力される疑似出力光パワー信号が、出力一定化回路により定められた光出力パワーである設定出力光パワー値よりも、大きな出力光パワーを得ることができる信号であることを特徴とする、上記の光増幅システムである。
【００１７】
また、出力一定化回路は差分アンプで構成されており、入力断検出回路が入力光断を検出したとき疑似出力光パワー信号によって差分アンプが電気飽和しないことを特徴とする、上記の光増幅システムである。
【００１８】
さらに、入力断検出回路が入力光の回復を検出したとき、電気信号切替器が、出力一定化回路へ入力される信号を、入力断検出回路の出力した疑似出力光パワー信号から出力パワーモニタが出力した信号へ切り替えるのに、１マイクロ秒〜１０ミリ秒の遅延時間を持つ事を特徴とする、上記の光増幅システムである。
【発明の効果】
【００１９】
本発明は、入力光パワーの変動が生じた場合、出力一定化回路に入力する信号を切り替え、入力光の立ち上がり時に出力される光サージ量を減少させることが可能な、光サージを抑制した光増幅システムを提供する。
【発明を実施するための最良の形態】
【００２０】
本発明は、入力光パワーの変動が生じた場合、出力一定化回路に入力する信号を切り替え、光増幅ファイバ内に注入するエネルギー(励起光)を減少させるようにＡＬＣ制御させる。ＡＬＣ制御の構成を変更することなく、入力光の立ち上がり時に出力される光サージ量を減少させることが可能になる。
【００２１】
まず、本発明の第一について詳細に説明する。光増幅システムにおいて、入力光モニタからの信号を受けて入力断検出回路が入力光の断を検出したとき(以下、入力光断状態と呼ぶ)に、入力断検出回路からの信号を受けて、出力一定化回路と利得制御手段の間に配置した入力断保護回路が利得制御手段の駆動電流を抑制する。
【００２２】
このとき、利得制御手段は待機状態になる。利得制御手段を構成する励起ＬＤは、発光が停止している状態になる。同時に、出力光モニタと出力一定化回路の間に配置した電気信号切替器が入力断検出回路からの信号を受けて、出力一定化回路へ入力される信号を出力光パワーモニタからの出力光パワー信号から、入力断検出回路からの疑似出力光パワー信号に切り替える。
【００２３】
本発明の第二は、出力一定化回路に入力される疑似出力光パワー信号が、出力一定化回路で設定される設定出力光パワー値よりも大きくなることを特徴とする。
【００２４】
出力一定化回路は、疑似出力光パワー信号と設定出力光パワー値を比較し、設定出力光パワー値に収束するように利得制御手段に信号を送る。このとき、疑似出力光パワー信号は、［疑似出力光パワー信号＞設定出力光パワー値］でなければならない。［疑似出力光パワー信号＞設定出力光パワー値］において、出力一定化回路は、利得制御手段に励起ＬＤ電流を減少させるようにＡＬＣ制御する。入力断検出回路が入力光の回復を検出したときに、励起ＬＤ電流は小さな駆動電流から大きな駆動電流に回復する。よって、過剰な励起光の供給を抑制することができ、光増幅器の光サージを抑制することができる。
【００２５】
本発明の第三は、出力一定化回路には、差分アンプを使ったアナログ回路であることを特徴としている。差分アンプは、入力光断状態のとき、疑似出力光パワー信号の入力を受ける。疑似出力光パワー信号は、［疑似出力光パワー信号＞設定出力光パワー値］である。差分アンプより出力される信号は、常に設定出力光パワー値より小さくなる。そのため差分アンプは電気飽和することはない。
【００２６】
本発明の第四は、入力断検出回路が入力光の回復を検出したとき、電気信号切替器が、出力一定化回路に入力される信号を入力断検出回路からの疑似出力光パワー信号から出力光パワーモニタからの出力光パワー信号に１マイクロ秒〜１０ミリ秒の遅延時間を持ち切り替わることを特徴としている。光増幅部として希土類を添加した光増幅媒体が用いられる場合、励起光パワーの変化に対する光増幅媒体の応答が遅いため、過励起状態になり光サージを引き起こすことがある。制御回路に遅延時間を用意する事により、光増幅システムの光サージを抑制することができる。
【００２７】
光増幅部は、信号光を合波するＷＤＭ、増幅作用を受け持つ光増幅媒体、出力光の戻り光を抑圧する光アイソレータなどから構成することができる。この構成には、必要に応じて光学部品を追加することができる。
【００２８】
光増幅媒体としては、石英ガラス，石英系酸化物ガラス、リン酸塩ガラス、ビスマス酸塩ガラス、亜テルル酸ガラス、フッ化物ガラス、リン酸塩結晶、酸化物セラミックスなどを用いることができる。
【００２９】
光増幅媒体の形状としては、平面導波路、平板状、スラブ状、ファイバ状などをとることができる。
【００３０】
図１は、本発明の原理的構成を示した光増幅システムのブロック図である。入力光を増幅する光増幅部１０１、前記光増幅部１０１に入力される入力光をモニタする入力光パワーモニタ１０２、前記入力光パワーモニタ１０２からの入力光パワーを判定する入力断検出回路１０３、前記入力断検出回路１０３からの信号を受けて利得制御手段１０６を制御する入力断保護回路１０７、前記光増幅部１０１の出力光をモニタする出力光パワーモニタ１０４、前記出力光パワーモニタ１０４の出力光パワーを一定にする出力一定化回路１０５、入力光断状態のときに出力一定化回路１０５へ入力される信号を出力光パワーモニタ１０４から入力断検出回路１０３の疑似出力光パワー信号に切り替える電気信号切替器１０８から構成される。
【００３１】
光増幅部１０１への入力光が断のとき、入力断保護回路１０７は入力断検出回路１０３からの信号を受けて、利得制御手段１０６の駆動電流を抑制する。そして、電気信号切替器１０８を(2)に切り替え、疑似出力光パワー信号を出力一定化回路１０５に入力する。このとき疑似出力光パワー信号は、出力一定化回路１０５の設定出力光パワー値よりも大きいことが望ましい。即ち、出力一定化回路１０５は光増幅部１０１からの出力光パワーが設定値より大きいと認識し、利得制御手段に利得を小さくするようにＡＬＣ制御するのがよい。
【００３２】
光増幅部１０１への入力光が回復すると、入力断検出回路１０３は、入力光パワーモニタ１０２からの信号を受けて入力光パワーを判定する。入力断保護回路１０７は、出力一定化回路１０５からの信号が利得制御手段１０６に入力されるようにする。さらに出力光パワーモニタ１０４からの信号を出力一定化回路１０５に入力されるように電気信号切替器１０８を１マイクロ秒〜１０ミリ秒の遅延時間を持ち(1)に切り替える。
【００３３】
そして、出力一定化回路１０５は出力光パワーモニタ手段１０４からの信号を受けてＡＬＣ制御する。入力光断状態の時、出力一定化回路１０５は入力断検出回路１０３からの疑似出力光パワー信号を受けて利得を小さくするようにＡＬＣ制御する。入力光が回復した時、利得は、小さい状態から大きな状態にＡＬＣ制御が行われる。
【００３４】
図４は、出力一定化回路１０５の構成を説明するブロック図である。出力光パワーを設定する出力設定回路４０１、出力パワーモニタ１０４と出力設定回路４０１の値を差分する差分アンプ４０２、利得制御手段に電流を加えるＬＤドライバ４０３から出力一定化回路１０５は構成される。
【００３５】
図５(Ａ)〜(Ｅ)は、本発明における入力光断状態時の出力一定化回路１０５の電気的動作を示した説明図である。特に図５(Ａ)は図５出力パワーモニタ１０４からの信号を示す図、図５(Ｂ)は図４出力設定回路４０１からの信号を示す図、図５(Ｃ)は図４差分アンプ４０２に入力される信号を示す図、図５(Ｄ)は図４ＬＤドライバ４０３に入力される信号を示す図、図５(Ｅ)は図４利得制御手段１０６に入力される信号を示す図である。
【００３６】
図６(Ａ)〜(Ｅ)は、特許２６５１０８６記載のＡＬＣ制御における入力光断状態時の出力一定化回路の電気的動作を示した説明図である。特に図６(Ａ)は出力パワーモニタからの信号を示す図、図６(Ｂ)は、設定光出力パワー値の信号を示す図、図６(Ｃ)は図２出力パワーモニタと設定光出力パワー値の信号を比較する差分アンプに入力される信号を示す図、図６(Ｄ)は励起ＬＤを駆動するＬＤドライバに入力される信号を示す図、図６(Ｅ)は励起ＬＤに入力される信号を示す図である。
【００３７】
従来のＡＬＣ制御では、図６(Ｄ)に示すように入力光断状態に入り、光増幅部への励起光の供給が停止されると差分アンプは、電気的に電気飽和してしまう。入力光が回復すると図６(Ｅ)に示すように励起ＬＤは、最大出力電流を与えられる。そして、最大出力電流に対応した励起光は、光増幅部に入力され光サージが起こる原因になる。本発明では請求項３記載のように疑似出力光パワー信号を出力一定化回路に入力させる事により、疑似ＡＬＣ動作を行う。結果、差分アンプ４０２は電気飽和しない。図５(Ｄ)に示すように入力光断状態時、疑似出力光パワー信号により差分アンプ４０２の電気飽和は抑制される。差分アンプ４０２の電気飽和が無いため、最大出力電流を継続する事は無い。結果、光サージを効率よく抑制することができる。
【００３８】
図３(Ａ)〜(Ｄ)は、光サージを抑制した光増幅システムの光学特性示した説明図である。特に図３(Ａ)は入力光パワーを示す図、図３(Ｂ)は出力光パワーを示す図、図３(Ｃ)はＡＬＣ制御を行った際の利得制御手段に流れる駆動電流値を示す図、図３(Ｄ)は出力一定化回路に入力される信号を示す図である。本発明では、光増幅器が入力光断状態のとき、出力一定化回路に疑似出力光パワー信号が入力される。結果図３(Ａ)に示すように入力光が断になると、図３(Ｄ)に示すようにＡＬＣ制御は疑似出力光パワー信号を受けて利得制御手段１０６に利得を小さくするよう制御を行う。よって、図３(Ｃ)に示すように利得制御手段である励起ＬＤには、駆動電流を小さくするように制御が行われる。入力光パワーが回復すると、１マイクロ秒〜１０ミリ秒の遅延時間を持って励起ＬＤには駆動電流を小さくする制御から大きくする制御に変わる。そのため、問題になっていた巨大な光ピークを持つ光サージが発生しない。
【実施例１】
【００３９】
以下、実施例により説明する。
【００４０】
光ファイバに希土類を添加した光増幅媒体とした。光増幅ファイバ７０４はコアにＥｒＦ３を０．２５ｍｏｌ％、ＣｅＦ３を５．０ｍｏｌ％添加したフッ化物ファイバを石英ファイバ融着接続し、ステンレス製の金属パッケージに封入したファイバモジュールを用いた。フッ化物ファイバ長は１．５ｍである。
【００４１】
実施例１の構成を図７に示す。光送信機より光ファイバ７０５に入力された波長１．５５μｍの入力光は、５／９５の２分岐カプラ７１４により分岐され５％を入力光パワーモニタであるＰＤ７１５へ、９５％を光アイソレータ７０６に入力される。光アイソレータ７０６に入力された入力光はＷＤＭカプラ７０３で波長０．９８μｍの励起ＬＤ７０１からの励起光と合波され光増幅ファイバ７０４に入力される。光増幅ファイバ７０４は励起光により上準位にイオンを蓄積し、入力信号光による誘導放出によって、入力光と同じ波長と位相の揃った光を出力して光増幅する。光増幅ファイバ７０４の出力光は１／９９の２分岐カプラ７０８により分岐され１％を出力信号光パワーモニタであるＰＤ７１０へ、９９％を出力ファイバ７０９に入力される。出力ファイバ７０９からは波長１．５５μｍの増幅された信号光が出力される。
【００４２】
このとき入力光パワーモニタＰＤ７１５では入力された光パワーを電気信号に変換され差分アンプ７１７に入力する。差分アンプ７１７では電気信号に変換された値と基準パワー回路７１６に設定させた値とを差し引いて、トランジスタ７１８に入力される。トランジスタ７１８では差分アンプ７１７からの入力値［ＰＤ７１５からの電気信号−基準パワー値］が正の値であれば励起ＬＤ７０１に駆動電流が与えられ、負の値であれば励起ＬＤ７０１が駆動電流が抑制され動作する。つまり、光ファイバ７０５に入力された入力光パワーが所望パワーより大きな時は、ＬＤドライバ７１３からの帰還利得を励起ＬＤ７０１に与えてＡＬＣ制御する。所望のパワーより小さい時は、ＬＤドライバ７１３からの帰還利得を励起ＬＤ７０１に与えず、励起ＬＤ７０１を発振閾値以下に抑えるよう制御する。
【００４３】
一方、出力光パワーモニタＰＤ７１０に入力された光パワーは、電気信号に変換されて差分アンプ７１２に入力される。差分アンプ７１２により、電気信号に変換された値から基準パワー回路７１１で設定された所定の値を差し引いて保持された出力光パワーが所望の光パワーになるように、ドライバ回路７１３から励起ＬＤ７０１への負帰還利得を与える。つまり、増幅された光パワーが所望のパワーよりも小さい時は、励起ＬＤ７０１により励起光のパワーを大きくして、光増幅ファイバ７０４における、光利得を大きくする。所望のパワーよりも大きい時は、励起ＬＤ７０１により励起光のパワーを小さくして、光増幅ファイバ７０４における、光利得を小さくする。
【００４４】
ＡＬＣ制御において、入力光断状態になったとき、差分アンプ７１２からの入力値が所望のパワーよりも小さくなり、励起ＬＤ７０１は励起光パワーが大きくなるように制御される。しかし、入力光断状態になるとトランジスタ７１９が、ＰＤ７１０の信号から疑似出力光パワー信号に切り替わり、差分アンプ７１２には疑似出力光パワー信号が入力される。このとき、疑似出力光パワー信号は、基準パワー回路７１１で設定された所定の値を差し引いた値が、所望の値よりも大きくなるように入力される。差分アンプ７１２は疑似出力光パワー信号の入力を受けて、励起ＬＤ７０１により励起光パワーを小さくするように帰還利得を与えようとする。しかし、入力断制御によって励起ＬＤ７０１に差分アンプ７１２からのＡＬＣ制御は行われない。
【００４５】
入力光が回復し光増幅システムが再び駆動しはじめるとトランジスタ７１９は、疑似出力光パワー信号からＰＤ７１０に信号が切り替わり、励起ＬＤ７０１には差分アンプ７１２からの帰還利得が入力され、ＡＬＣ制御が行われる。このとき、励起ＬＤ７０１に与えられる帰還利得は、入力光が回復した後、１ミリ秒の間は入力光断状態時と同じ負帰還利得が励起ＬＤ７０１に与えられる。そして、ＰＤ７１０からの信号に対応したＡＬＣ制御に切り替わる。差分アンプ７１２は励起ＬＤ７０１に利得を小さな状態から大きな状態になるように制御する。
【００４６】
次に測定に使用した構成を図８に示す。本発明の光増幅システム８０２からのＯ／Ｅ変換器８０３で電気信号に変換され、オシロスコープ８０４で出力波形を観測した。オシロスコープ８０４には、光送信機８０１からのトリガ信号が入力され、入力光と出力光波形の相対的な遅れを観測できるように構成されている。また、励起ＬＤ７０１に供給する駆動電流も同時にオシロスコープ８０４で観測した。励起ＬＤ７０１の発振閾値は３５ｍＡであり、待機電流は３４ｍＡに設定した。
【００４７】
入力光をＯＮ／ＯＦＦしたときの出力応答の結果を図９に示す。利得の回復は１．８マイクロ秒であり、励起ＬＤの駆動電流のオーバーシュートもなく、光サージは発生しなかった。
【産業上の利用可能性】
【００４８】
本発明は、光通信分野における通信システムはもちろん、評価・測定など光伝送の応用分野にも利用できるものである。
【図面の簡単な説明】
【００４９】
【図１】本発明の構成を示すブロック図である。
【図２】従来のＡＬＣ制御における各部信号を示す図である。
【図３】光サージを抑制した光増幅システムの光学特性示した説明図である。
【図４】出力一定化回路１０５の構成を説明するブロック図である。
【図５】入力光断状態時の出力一定化回路１０５の電気的動作を示した説明図である。
【図６】既存のＡＬＣ制御における入力光断状態時の出力一定化回路の電気的動作を示した図である。
【図７】実施例１の構成を説明する図である。
【図８】実施例１の測定系の攻勢を説明する図である。
【図９】実施例１の測定結果を示す図である。
【符号の説明】
【００５０】
１０１  入力光を増幅する光増幅部
１０２  入力光パワーモニタ
１０３  入力断検出回路
１０４  出力光パワーモニタ
１０５  出力一定化回路
１０６  利得制御手段
１０７  入力断保護回路
１０８  電気信号切替器
４０１  出力設定回路
４０２  差分アンプ
４０３  ＬＤドライバ
７０１  励起ＬＤ
７０２  光ファイバ
７０３  ＷＤＭカプラ
７０４  光増幅ファイバ
７０５  光ファイバ
７０６  光アイソレータ
７０７  光アイソレータ
７０８  ２分岐カプラ
７０９  出力ファイバ
７１０  ＰＤ
７１１  基準パワー回路
７１２  差分アンプ
７１３  ドライバ回路
７１４  ２分岐カプラ
７１５  ＰＤ
７１６  基準パワー回路
７１７  差分アンプ
７１８  トランジスタ
７１９  トランジスタ
８０１  光送信機
８０２  光増幅システム
８０３  Ｏ／Ｅ変換器
８０４  オシロスコープ
【図１】
2008141366.tif 000003
【図２】
2008141366.tif 000004
【図３】
2008141366.tif 000005
【図４】
2008141366.tif 000006
【図５】
2008141366.tif 000007
【図６】
2008141366.tif 000008
【図７】
2008141366.tif 000009
【図８】
2008141366.tif 000010
【図９】
2008141366.tif 000011